(57)【要約】【課題】情報処理回路の消費電力を抑制することができ、さらに情報処理回路の使用、未使用の切り替えに係る応答速度を向上させることが可能な電気機器を提供する。【解決手段】電気機器である録画装置１は、個々が同一種類の情報の処理を実行するとともに個別に駆動のＯＮ／ＯＦＦが可能な複数の情報処理回路であるチューナＩＣと、複数のチューナＩＣに対して個別に電力を供給する電力供給部３０と、チューナＩＣの駆動のＯＮ／ＯＦＦ及び電力供給部３０による電力供給のＯＮ／ＯＦＦを制御する制御部３と、を備える。制御部３は、複数のチューナＩＣの少なくとも１つに対する駆動のＯＮ／ＯＦＦ及び／または電力供給のＯＮ／ＯＦＦを変更したことに対応して他のチューナＩＣに対する駆動のＯＮ／ＯＦＦ及び／または電力供給のＯＮ／ＯＦＦを制御する。【選択図】図２
2015022467.tif 000002
【特許請求の範囲】
【請求項１】
個々が同一種類の情報の処理を実行するとともに個別に駆動のＯＮ／ＯＦＦが可能な複数の情報処理回路と、
複数の前記情報処理回路に対して個別に電力を供給する電力供給部と、
前記情報処理回路の駆動のＯＮ／ＯＦＦ及び前記電力供給部による電力供給のＯＮ／ＯＦＦを制御する制御部と、
を備え、
前記制御部は、複数の前記情報処理回路の少なくとも１つに対する駆動のＯＮ／ＯＦＦ及び／または電力供給のＯＮ／ＯＦＦを変更したことに対応して他の前記情報処理回路に対する駆動のＯＮ／ＯＦＦ及び／または電力供給のＯＮ／ＯＦＦを制御することを特徴とする電気機器。
【請求項２】
情報処理動作を実行している前記情報処理回路がないとき、前記制御部は、複数の前記情報処理回路の少なくとも１つを駆動ＯＦＦ及び電力供給ＯＮにし、複数の前記情報処理回路の少なくとも１つを電力供給ＯＦＦにすることを特徴とする請求項１に記載の電気機器。
【請求項３】
情報処理動作を実行している前記情報処理回路が少なくとも１つあるとともに情報処理動作を実行していない前記情報処理回路があるとき、前記制御部は、情報処理動作を実行していない前記情報処理回路の少なくとも１つを駆動ＯＦＦ及び電力供給ＯＮにすることを特徴とする請求項１に記載の電気機器。
【発明の詳細な説明】
【技術分野】
【０００１】
本発明は電気機器に関する。
【背景技術】
【０００２】
テレビジョン受信機やレコーダなどの電気機器には、受信した放送信号の選局を行うためのチューナ回路が備えられる。電気機器には複数のチューナ回路を搭載したものがあり、そのような従来の電気機器が例えば特許文献１に開示されている。
【０００３】
特許文献１に記載された従来の電気機器（情報処理装置）はテレビジョン放送信号を受信する２つのチューナ部を備え、テレビアプリケーションを起動すると２つのチューナ部の電源をＯＮにする。そして、一方のチューナ部をテレビ放送の視聴処理または録画処理に使用し、他方のチューナ部を番組情報の取得処理に使用する。番組情報の取得処理が完了すると、該当する処理を実行したチューナ部だけ電源ＯＦＦにする。これにより、テレビ放送の視聴処理または録画処理を継続しながら、全体の消費電力を低減することができる。
【先行技術文献】
【特許文献】
【０００４】
【特許文献１】特開２００９−２７３７４号公報
【発明の概要】
【発明が解決しようとする課題】
【０００５】
しかしながら、上記従来の電気機器のように未使用の情報処理回路（チューナ部）の電源をＯＦＦにする場合、節電効果は高いが、次に使用するときに電源をＯＮにして安定した動作が得られるまでの起動時間が長くなることが懸念される。それにより、情報処理回路の駆動のＯＮ／ＯＦＦに係る応答速度が低下し、効率良く情報処理回路を使用することができない虞がある。
【０００６】
本発明は、上記の点に鑑みなされたものであり、情報処理回路の消費電力を抑制することができ、さらに情報処理回路の使用、未使用の切り替えに係る応答速度を向上させることが可能な電気機器を提供することを目的とする。
【課題を解決するための手段】
【０００７】
上記の課題を解決するため、本発明の電気機器は、個々が同一種類の情報の処理を実行するとともに個別に駆動のＯＮ／ＯＦＦが可能な複数の情報処理回路と、複数の前記情報処理回路に対して個別に電力を供給する電力供給部と、前記情報処理回路の駆動のＯＮ／ＯＦＦ及び前記電力供給部による電力供給のＯＮ／ＯＦＦを制御する制御部と、を備え、前記制御部は、複数の前記情報処理回路の少なくとも１つに対する駆動のＯＮ／ＯＦＦ及び／または電力供給のＯＮ／ＯＦＦを変更したことに対応して他の前記情報処理回路に対する駆動のＯＮ／ＯＦＦ及び／または電力供給のＯＮ／ＯＦＦを制御することを特徴としている。
【０００８】
この構成によれば、情報処理回路はその駆動をＯＦＦにすることで消費電力が低減し、電力供給がＯＦＦにされることで駆動ＯＦＦよりもさらに消費電力が低減する。一方、情報処理回路は使用、未使用の切り替えに関して、電力供給のＯＮ／ＯＦＦを切り替える場合と比較して、電力供給をＯＮにして駆動のＯＮ／ＯＦＦの切り替える場合に応答速度が向上する。そして、１つの情報処理回路に対する駆動や電力供給に対応して他の情報処理回路に対する駆動や電力供給が制御されるので、効率良く情報処理回路を使用することができる。
【０００９】
また、上記構成の電気機器において、情報処理動作を実行している前記情報処理回路がないとき、前記制御部は、複数の前記情報処理回路の少なくとも１つを駆動ＯＦＦ及び電力供給ＯＮにし、複数の前記情報処理回路の少なくとも１つを電力供給ＯＦＦにすることを特徴としている。
【００１０】
この構成によれば、情報処理回路の１つは電力供給ＯＮ、駆動ＯＦＦの状態となり、使用、未使用の切り替えに係る応答速度が向上する。さらに、情報処理回路の１つは電力供給ＯＦＦの状態となり、消費電力が低減する。
【００１１】
また、上記構成の電気機器において、情報処理動作を実行している前記情報処理回路が少なくとも１つあるとともに情報処理動作を実行していない前記情報処理回路があるとき、前記制御部は、情報処理動作を実行していない前記情報処理回路の少なくとも１つを駆動ＯＦＦ及び電力供給ＯＮにすることを特徴としている。
【００１２】
この構成によれば、情報処理回路の１つは電力供給ＯＮ、駆動ＯＮの状態となり、情報処理動作を実行することができる。他の情報処理回路のうち１つは電力供給ＯＮ、駆動ＯＦＦの状態となり、使用、未使用の切り替えに係る応答速度が向上する。それら以外の情報処理回路は電力供給ＯＦＦの状態となり、消費電力が低減する。
【発明の効果】
【００１３】
本発明の構成によれば、情報処理回路の消費電力を抑制することができ、さらに情報処理回路の使用、未使用の切り替えに係る応答速度を向上させることが可能な電気機器を提供することができる。
【図面の簡単な説明】
【００１４】
【図１】本発明の第１実施形態の電気機器の一例である録画装置のブロック図である。
【図２】本発明の第１実施形態の録画装置のチューナ部の駆動処理を示すフローチャートである。
【図３】本発明の第１実施形態の録画装置のチューナ部の駆動処理を示すフローチャート（図２の続き）である。
【図４】本発明の第２実施形態の電気機器の一例であるテレビジョン受信機のブロック図である。
【図５】本発明の第２実施形態のテレビジョン受信機の画面を示す説明図である。
【図６】本発明の第２実施形態のテレビジョン受信機の画面を示す説明図である。
【図７】本発明の第３実施形態の電気機器の一例である記録装置のブロック図である。
【発明を実施するための形態】
【００１５】
以下、本発明の実施形態を図１〜図７に基づき説明する。
【００１６】
最初に、本発明の第１実施形態の電気機器の一例である録画装置について、図１を用いてその構成を説明する。図１は録画装置のブロック図である。
【００１７】
第１実施形態では、本発明の電気機器の一例としてテレビジョン放送の録画装置を掲げてその実施形態を説明する。録画装置を内蔵するとともに、モニタ及びスピーカを用いてテレビジョン放送の視聴が可能なテレビジョン受信機も同様である。
【００１８】
録画装置１は、図１に示すように記録部２、地上波チューナ部１０、衛星チューナ部２０、電力供給部３０及び制御部３を備える。録画装置１は不図示のアンテナやモニタ（或いはテレビジョン受信機）に接続され、テレビジョン放送の視聴や録画のために利用される。受信したテレビジョン放送は記録部２に録画することができる。
【００１９】
地上波チューナ部１０は放送局から発信される地上波の放送信号の受信に利用される。地上波チューナ部１０は第１チューナＩＣ１１、第２チューナＩＣ１２及び第３チューナＩＣ１３からなる３個のチューナＩＣ（情報処理回路）を備える。３個のチューナＩＣは同一種類の情報、すなわち地上波放送の視聴や録画に際し、個別にチャンネルの選局に用いることができる。
【００２０】
衛星チューナ部２０は放送局から発信される衛星波の放送信号の受信に利用される。衛星チューナ部２０は第１チューナＩＣ２１、第２チューナＩＣ２２及び第３チューナＩＣ２３からなる３個のチューナＩＣ（情報処理回路）を備える。３個のチューナＩＣは同一種類の情報、すなわち衛星放送の視聴や録画に際し、個別にチャンネルの選局に用いることができる。
【００２１】
電力供給部３０は第１電力供給部３１、第２電力供給部３２、第３電力供給部３３、第４電力供給部３４、第５電力供給部３５及び第６電力供給部３６からなる。第１電力供給部３１は地上波チューナ部１０の第１チューナＩＣ１１に電力を供給し、第２電力供給部３２は地上波チューナ部１０の第２チューナＩＣ１２に電力を供給し、第３電力供給部３３は地上波チューナ部１０の第３チューナＩＣ１３に電力を供給する。第４電力供給部３４は衛星チューナ部２０の第１チューナＩＣ２１に電力を供給し、第５電力供給部３５は衛星チューナ部２０の第２チューナＩＣ２２に電力を供給し、第６電力供給部３６は衛星チューナ部２０の第３チューナＩＣ２３に電力を供給する。
【００２２】
制御部３は不図示の演算部やその他の電子部品で構成され、不図示の記憶部等に予め記憶、入力されたプログラム、データに基づき、録画装置１の各構成要素から情報を得るとともにそれら構成要素の動作を制御して一連の放送信号の受信処理及び録画処理を実現する。制御部３は記録部２、地上波チューナ部１０の第１〜第３チューナＩＣ１１〜１３、衛星チューナ部２０の第１〜第３チューナＩＣ２１〜２３及び第１〜第６電力供給部３１〜３６に指令を送り、それらの動作を制御する。
【００２３】
制御部３は地上波チューナ部１０の第１〜第３チューナＩＣ１１〜１３及び衛星チューナ部２０の第１〜第３チューナＩＣ２１〜２３とＩ2ＣＢＵＳ４を介して接続される。制御部３はＩ2ＣＢＵＳ４を介して、それら６個のチューナＩＣの駆動のＯＮ／ＯＦＦを個別に制御することができる。また、制御部３は第１〜第６電力供給部３１〜３６による各チューナＩＣへの電力供給のＯＮ／ＯＦＦを個別に制御することができる。
【００２４】
そして、上記構成の録画装置１は放送の視聴や録画に際し、制御部３が６個のチューナＩＣの少なくとも１つに対する駆動のＯＮ／ＯＦＦ及び／または電力供給部３０による電力供給のＯＮ／ＯＦＦを変更したことに対応して他のチューナＩＣに対する駆動のＯＮ／ＯＦＦ及び／または電力供給部３０による電力供給のＯＮ／ＯＦＦを制御する。
【００２５】
この制御部３による制御に基づく６個のチューナＩＣの動作状態の一例を表１に示す。なお、表１では地上波放送を「地上波」、「地」と省略して記すことがあり、衛星放送を「衛星」、「衛」と省略して記すことがある。チューナＩＣが選局処理のために動作中である状態はそのチューナＩＣが駆動ＯＮ、電力供給ＯＮに制御され、表中「動作」と記す。また、チューナＩＣが駆動ＯＦＦ、電力供給ＯＮの状態を表中「駆動ＯＦＦ」と記す。また、チューナＩＣが駆動ＯＦＦ、電力供給ＯＦＦの状態を表中「電源ＯＦＦ」と記す。
【００２６】
【表１】
2015022467.tif 000003
【００２７】
表１によれば、例えば選局動作を実行しているチューナＩＣがないとき、すなわち録画装置１が起動待機中であって放送録画がないとき、制御部３は地上波チューナ部１０の第１チューナＩＣ１１及び衛星チューナ部２０の第１チューナＩＣ２１に対して駆動ＯＦＦにするとともに第１、第４電力供給部３１、３４により電力供給ＯＮにする。さらに、制御部３は他のチューナＩＣを電力供給ＯＦＦにする。
【００２８】
また、例えば選局動作を実行しているチューナＩＣが少なくとも１つあるとともに選局動作を実行していないチューナＩＣがあるとき、すなわち録画装置１が放送視聴のために起動中であって録画設定がないとき、制御部３は地上波チューナ部１０の第１チューナＩＣ１１及び衛星チューナ部２０の第１チューナＩＣ２１に対して駆動ＯＮにするとともに第１、第４電力供給部３１、３４により電力供給ＯＮにする。これにより、地上波チューナ部１０の第１チューナＩＣ１１及び衛星チューナ部２０の第１チューナＩＣ２１が放送視聴のために動作する。さらに、制御部３は地上波チューナ部１０の第２チューナＩＣ１２及び衛星チューナ部２０の第２チューナＩＣ２２に対して駆動ＯＦＦにするとともに第２、第５電力供給部３２、３５により電力供給ＯＮにする。さらに、制御部３は地上波チューナ部１０の第３チューナＩＣ１３及び衛星チューナ部２０の第３チューナＩＣ２３に対して第３、第６電力供給部３３、３６により電力供給ＯＦＦにする。
【００２９】
このような録画装置１における地上波チューナ部１０及び衛星チューナ部２０の駆動処理について、図２及び図３に示すフローに沿って説明する。図２及び図３はともに録画装置１の地上波チューナ部１０及び衛星チューナ部２０の駆動処理を示すフローチャートであって、各々の図の結合子Ａ及びＢで結合されるべきフローチャートである。なお、図２及び図３では表１と同様に地上波放送を「地上波」、「地」と省略して記すことがあり、衛星放送を「衛星」、「衛」と省略して記すことがある。同様に、チューナＩＣの動作状態も省略して「動作」、「駆動ＯＦＦ」及び「電源ＯＦＦ」と記す。また、チューナＩＣを単に「ＩＣ」と省略して記すことがある。
【００３０】
録画装置１が起動待機中であるとき（図２のスタート）、制御部３は録画装置１が起動されたか否かを判別する（ステップ＃１０１）。
【００３１】
録画装置１が起動されず、起動待機中のままであるとき（ステップ＃１０１のＮｏ）、制御部３はタイマー録画が開始されたか否かを判別する（ステップ＃１０２）。タイマー録画が開始されないとき（ステップ＃１０２のＮｏ）、制御部３は地上波チューナ部１０の第１チューナＩＣ１１及び衛星チューナ部２０の第１チューナＩＣ２１を駆動ＯＦＦ、電力供給ＯＮにし、地上波チューナ部１０の第２、第３チューナＩＣ１２、１３及び衛星チューナ部２０の第２、第３チューナＩＣ２２、２３を電力供給ＯＦＦにする（ステップ＃１０３）。そして、ステップ＃１０１に戻る。
【００３２】
タイマー録画が開始されたとき（ステップ＃１０２のＹｅｓ）、制御部３はその録画が地上波放送１番組であるか否かを判別する（ステップ＃１０４）。録画が地上波放送１番組であるとき（ステップ＃１０４のＹｅｓ）、制御部３は地上波チューナ部１０の第１チューナＩＣ１１及び衛星チューナ部２０の第１チューナＩＣ２１を駆動ＯＦＦ、電力供給ＯＮにし、地上波チューナ部１０の第２チューナＩＣ１２を駆動ＯＮ、電力供給ＯＮにして当該チューナＩＣを放送録画のために動作させ、地上波チューナ部１０の第３チューナＩＣ１３及び衛星チューナ部２０の第２、第３チューナＩＣ２２、２３を電力供給ＯＦＦにする（ステップ＃１０５）。そして、ステップ＃１０１に戻る。
【００３３】
録画が地上波放送１番組ではないとき（ステップ＃１０４のＮｏ）、制御部３はその録画が衛星放送１番組であるか否かを判別する（ステップ＃１０６）。録画が衛星放送１番組であるとき（ステップ＃１０６のＹｅｓ）、制御部３は地上波チューナ部１０の第１チューナＩＣ１１及び衛星チューナ部２０の第１チューナＩＣ２１を駆動ＯＦＦ、電力供給ＯＮにし、衛星チューナ部２０の第２チューナＩＣ２２を駆動ＯＮ、電力供給ＯＮにして当該チューナＩＣを放送録画のために動作させ、地上波チューナ部１０の第２、第３チューナＩＣ１２、１３及び衛星チューナ部２０の第３チューナＩＣ２３を電力供給ＯＦＦにする（ステップ＃１０７）。そして、ステップ＃１０１に戻る。
【００３４】
録画が衛星放送１番組ではないとき（ステップ＃１０６のＹｅｓ）、制御部３はその録画が地上波放送２番組であるか否かを判別する（ステップ＃１０８）。録画が地上波放送２番組であるとき（ステップ＃１０８のＹｅｓ）、制御部３は地上波チューナ部１０の第１チューナＩＣ１１及び衛星チューナ部２０の第１チューナＩＣ２１を駆動ＯＦＦ、電力供給ＯＮにし、地上波チューナ部１０の第２、第３チューナＩＣ１２、１３を駆動ＯＮ、電力供給ＯＮにして当該チューナＩＣを放送録画のために動作させ、衛星チューナ部２０の第２、第３チューナＩＣ２２、２３を電力供給ＯＦＦにする（ステップ＃１０９）。そして、ステップ＃１０１に戻る。
【００３５】
録画が地上波放送２番組ではないとき（ステップ＃１０８のＮｏ）、制御部３はその録画が衛星放送２番組であるか否かを判別する（ステップ＃１１０）。録画が衛星放送２番組であるとき（ステップ＃１１０のＹｅｓ）、制御部３は地上波チューナ部１０の第１チューナＩＣ１１及び衛星チューナ部２０の第１チューナＩＣ２１を駆動ＯＦＦ、電力供給ＯＮにし、衛星チューナ部２０の第２、第３チューナＩＣ２２、２３を駆動ＯＮ、電力供給ＯＮにして当該チューナＩＣを放送録画のために動作させ、地上波チューナ部１０の第２、第３チューナＩＣ１２、１３を電力供給ＯＦＦにする（ステップ＃１１１）。そして、ステップ＃１０１に戻る。
【００３６】
録画が衛星放送２番組ではないとき（ステップ＃１１０のＮｏ）、以下同様に、制御部３は各チューナＩＣが表１に示したとおりの動作状態となるように、各チューナＩＣに対する駆動ＯＮ／ＯＦＦ及び／または電力供給部による電力供給ＯＮ／ＯＦＦを制御する。
【００３７】
続いて、制御部３は録画が第１チューナＩＣ、第２チューナＩＣ、第３チューナＩＣの順に地上波放送、衛星放送、地上波放送の３番組であるか否かを判別する（ステップ＃１１２）。録画がこのような３番組であるとき（ステップ＃１１２のＹｅｓ）、制御部３は地上波チューナ部１０の第１、第３チューナＩＣ１１、１３及び衛星チューナ部２０の第２チューナＩＣ２２を駆動ＯＮ、電力供給ＯＮにして当該チューナＩＣを放送録画のために動作させ、地上波チューナ部１０の第２チューナＩＣ１２及び衛星チューナ部２０の第１、第３チューナＩＣ２１、２３を電力供給ＯＦＦにする（ステップ＃１１３）。そして、ステップ＃１０１に戻る。
【００３８】
録画が第１チューナＩＣ、第２チューナＩＣ、第３チューナＩＣの順に地上波放送、衛星放送、地上波放送の３番組ではないとき（ステップ＃１１２のＮｏ）、制御部３はその録画が第１チューナＩＣ、第２チューナＩＣ、第３チューナＩＣの順に衛星放送、地上波放送、地上波放送の３番組であるとし、地上波チューナ部１０の第１チューナＩＣ１１を駆動ＯＦＦ、電力供給ＯＮにし、地上波チューナ部１０の第２、第３チューナＩＣ１２、１３及び衛星チューナ部２０の第１チューナＩＣ２１を駆動ＯＮ、電力供給ＯＮにして当該チューナＩＣを放送録画のために動作させ、衛星チューナ部２０の第２、第３チューナＩＣ２２、２３を電力供給ＯＦＦにする（ステップ＃１１４）。そして、ステップ＃１０１に戻る。
【００３９】
一方、例えばモニタを用いた放送視聴が開始され、録画装置１が起動されたとき（ステップ＃１０１のＹｅｓ）、図３に進み、制御部３は録画が開始されたか否かを判別する（ステップ＃１１５）。放送視聴中に録画が開始されないとき（ステップ＃１１５のＮｏ）、制御部３は地上波チューナ部１０の第１チューナＩＣ１１及び衛星チューナ部２０の第１チューナＩＣ２１を駆動ＯＮ、電力供給ＯＮにして当該チューナＩＣを放送視聴のために動作させ、地上波チューナ部１０の第２チューナＩＣ１２及び衛星チューナ部２０の第２チューナＩＣ２２を駆動ＯＦＦ、電力供給ＯＮにし、地上波チューナ部１０の第３チューナＩＣ１３及び衛星チューナ部２０の第３チューナＩＣ２３を電力供給ＯＦＦにする（ステップ＃１１６）。そして、図２のステップ＃１０１に戻る。
【００４０】
放送視聴中に録画が開始されたとき（ステップ＃１１５のＹｅｓ）、制御部３はその録画が地上波放送１番組であるか否かを判別する（ステップ＃１１７）。録画が地上波放送１番組であるとき（ステップ＃１１７のＹｅｓ）、制御部３は地上波チューナ部１０の第１、第２チューナＩＣ１１、１２及び衛星チューナ部２０の第１チューナＩＣ２１を駆動ＯＮ、電力供給ＯＮにして当該チューナＩＣを放送視聴及び放送録画のために動作させ、衛星チューナ部２０の第２チューナＩＣ２２を駆動ＯＦＦ、電力供給ＯＮにし、地上波チューナ部１０の第３チューナＩＣ１３及び衛星チューナ部２０の第３チューナＩＣ２３を電力供給ＯＦＦにする（ステップ＃１１８）。そして、図２のステップ＃１０１に戻る。
【００４１】
録画が地上波放送１番組ではないとき（ステップ＃１１７のＮｏ）、制御部３はその録画が衛星放送１番組であるか否かを判別する（ステップ＃１１９）。録画が衛星放送１番組であるとき（ステップ＃１１９のＹｅｓ）、制御部３は地上波チューナ部１０の第１チューナＩＣ１１及び衛星チューナ部２０の第１、第２チューナＩＣ２１、２２を駆動ＯＮ、電力供給ＯＮにして当該チューナＩＣを放送視聴及び放送録画のために動作させ、地上波チューナ部１０の第２チューナＩＣ１２を駆動ＯＦＦ、電力供給ＯＮにし、地上波チューナ部１０の第３チューナＩＣ１３及び衛星チューナ部２０の第３チューナＩＣ２３を電力供給ＯＦＦにする（ステップ＃１２０）。そして、図２のステップ＃１０１に戻る。
【００４２】
録画が衛星放送１番組ではないとき（ステップ＃１１９のＹｅｓ）、制御部３はその録画が地上波放送２番組であるか否かを判別する（ステップ＃１２１）。録画が地上波放送２番組であるとき（ステップ＃１２１のＹｅｓ）、制御部３は地上波チューナ部１０の第１〜第３チューナＩＣ１１〜１３及び衛星チューナ部２０の第１チューナＩＣ２１を駆動ＯＮ、電力供給ＯＮにして当該チューナＩＣを放送視聴及び放送録画のために動作させ、衛星チューナ部２０の第２チューナＩＣ２２を駆動ＯＦＦ、電力供給ＯＮにし、衛星チューナ部２０の第３チューナＩＣ２３を電力供給ＯＦＦにする（ステップ＃１２２）。そして、図２のステップ＃１０１に戻る。
【００４３】
録画が地上波放送１番組ではないとき（ステップ＃１２１のＹｅｓ）、制御部３はその録画が衛星放送２番組であるか否かを判別する（ステップ＃１２３）。録画が衛星放送２番組であるとき（ステップ＃１２３のＹｅｓ）、制御部３は地上波チューナ部１０の第１チューナＩＣ１１及び衛星チューナ部２０の第１〜第３チューナＩＣ２１〜２３を駆動ＯＮ、電力供給ＯＮにして当該チューナＩＣを放送視聴及び放送録画のために動作させ、地上波チューナ部１０の第２チューナＩＣ１２を駆動ＯＦＦ、電力供給ＯＮにし、地上波チューナ部１０の第３チューナＩＣ１３を電力供給ＯＦＦにする（ステップ＃１２４）。そして、図２のステップ＃１０１に戻る。
【００４４】
録画が衛星放送２番組ではないとき（ステップ＃１２３のＮｏ）、以下同様に、制御部３は各チューナＩＣが表１に示したとおりの動作状態となるように、各チューナＩＣに対する駆動ＯＮ／ＯＦＦ及び／または電力供給部による電力供給ＯＮ／ＯＦＦを制御する。
【００４５】
続いて、制御部３は録画が第１チューナＩＣ、第２チューナＩＣ、第３チューナＩＣの順に地上波放送、衛星放送、地上波放送の３番組であるか否かを判別する（ステップ＃１２５）。録画がこのような３番組であるとき（ステップ＃１２５のＹｅｓ）、制御部３は地上波チューナ部１０の第１、第３チューナＩＣ１１、１３及び衛星チューナ部２０の第１、第２チューナＩＣ２１、２２を駆動ＯＮ、電力供給ＯＮにして当該チューナＩＣを放送視聴及び放送録画のために動作させ、地上波チューナ部１０の第２チューナＩＣ１２及び衛星チューナ部２０の第３チューナＩＣ２３を駆動ＯＦＦ、電力供給ＯＮにする（ステップ＃１２６）。そして、図２のステップ＃１０１に戻る。
【００４６】
録画が第１チューナＩＣ、第２チューナＩＣ、第３チューナＩＣの順に地上波放送、衛星放送、地上波放送の３番組ではないとき（ステップ＃１２５のＮｏ）、制御部３はその録画が第１チューナＩＣ、第２チューナＩＣ、第３チューナＩＣの順に衛星放送、地上波放送、地上波放送の３番組であるとし、地上波チューナ部１０の第１〜第３チューナＩＣ１１〜１３及び衛星チューナ部２０の第１チューナＩＣ２１を駆動ＯＮ、電力供給ＯＮにして当該チューナＩＣを放送視聴及び放送録画のために動作させ、衛星チューナ部２０の第２、第３チューナＩＣ２２、２３を駆動ＯＦＦ、電力供給ＯＮにする（ステップ＃１２７）。そして、図２のステップ＃１０１に戻る。
【００４７】
なお、表１に対する変形例を表２に示す。録画装置１を表２に示す動作状態となるように制御しても良い。
【００４８】
【表２】
2015022467.tif 000004
【００４９】
表２によれば、例えば録画装置１が放送視聴のために起動中であり且つ地上波放送の録画中であって衛星放送の録画設定がないとき、制御部３は地上波チューナ部１０の第１、第２チューナＩＣ１１、１２及び衛星チューナ部２０の第１チューナＩＣ２１を駆動ＯＮ、電力供給ＯＮにする。これにより、地上波チューナ部１０の第１チューナＩＣ１１及び衛星チューナ部２０の第１チューナＩＣ２１が放送視聴のために動作し、地上波チューナ部１０の第２チューナＩＣ１２が地上波放送の録画のために動作する。さらに、制御部３は地上波チューナ部１０の第３チューナＩＣ１３及び衛星チューナ部２０の第２チューナＩＣ２２を駆動ＯＦＦ、電力供給ＯＮにする。さらに、制御部３は衛星チューナ部２０の第３チューナＩＣ２３を電力供給ＯＦＦにする。
【００５０】
上記のように、本発明の実施形態の電気機器の一例である録画装置１は、個々が地上波放送或いは衛星放送のいずれかの選局処理を実行するとともに個別に駆動のＯＮ／ＯＦＦが可能な複数のチューナＩＣと、複数のチューナＩＣに対して個別に電力を供給する電力供給部３０と、チューナＩＣの駆動のＯＮ／ＯＦＦ及び電力供給部３０による電力供給のＯＮ／ＯＦＦにする制御部３と、を備える。制御部３は、複数のチューナＩＣの少なくとも１つに対する駆動のＯＮ／ＯＦＦ及び／または電力供給のＯＮ／ＯＦＦを変更したことに対応して他のチューナＩＣに対する駆動のＯＮ／ＯＦＦ及び／または電力供給のＯＮ／ＯＦＦを制御する。これにより、チューナＩＣはその駆動をＯＦＦにすることで消費電力が低減し、電力供給がＯＦＦにされることで駆動ＯＦＦよりもさらに消費電力が低減する。一方、チューナＩＣは使用、未使用の切り替えに関して、電力供給のＯＮ／ＯＦＦを切り替える場合と比較して、電力供給をＯＮにして駆動のＯＮ／ＯＦＦの切り替える場合に応答速度が向上する。そして、１つのチューナＩＣに対する駆動や電力供給に対応して他のチューナＩＣに対する駆動や電力供給が制御されるので、効率良くチューナＩＣを使用することができる。
【００５１】
また、選局動作を実行しているチューナＩＣがないとき、すなわち録画装置１自体が起動待機中のとき、制御部３は、複数のチューナＩＣの少なくとも１つを駆動ＯＦＦ及び電力供給ＯＮにし、複数のチューナＩＣの少なくとも１つを電力供給ＯＦＦにする。これにより、録画装置１自体が起動待機中のとき、チューナＩＣの１つは電力供給ＯＮ、駆動ＯＦＦの状態となり、使用、未使用の切り替えに係る応答速度が向上する。他のチューナＩＣは電力供給ＯＦＦの状態となり、消費電力が低減する。
【００５２】
また、選局動作を実行しているチューナＩＣが少なくとも１つあるとともに選局動作を実行していないチューナＩＣがあるとき、すなわち録画装置１自体が起動中のとき、制御部３は、選局動作を実行していないチューナＩＣの少なくとも１つを駆動ＯＦＦ及び電力供給ＯＮにする。これにより、録画装置１自体が起動中のとき、チューナＩＣの１つは電力供給ＯＮ、駆動ＯＮの状態となり、放送チャンネルの選局を実行することができる。他のチューナＩＣのうち１つは電力供給ＯＮ、駆動ＯＦＦの状態となり、使用、未使用の切り替えに係る応答速度が向上する。それら以外のチューナＩＣは電力供給ＯＦＦの状態となり、消費電力が低減する。
【００５３】
なお、上記実施形態において、録画装置１を表１に対して表２のとおりに動作させると、チューナＩＣの電力供給ＯＦＦの状態が増加するので、消費電力を一層低減させることができる。
【００５４】
次に、本発明の第２実施形態の電気機器の一例であるテレビジョン受信機について、図４〜図６を用いてその構成を説明する。図４はテレビジョン受信機のブロック図、図５及び図６はテレビジョン受信機の画面を示す説明図である。なお、本実施形態の基本的な構成は図１〜図３を用いて説明した第１実施形態と同じであるので、同じ名称を有する構成要素について説明を省略することがある。
【００５５】
第２実施形態では、本発明の電気機器の一例としてテレビジョン受信機を掲げてその実施形態を説明する。ここで説明するテレビジョン受信機は、モニタ及びスピーカを用いてテレビジョン放送の視聴が可能な機器であって、表示部に複数の画面を表示できるものである。録画装置を内蔵してテレビジョン放送の録画が可能なテレビジョン受信機も同様である。
【００５６】
テレビジョン受信機１０１は、図４に示すように表示部１０２、地上波チューナ部１１０、衛星チューナ部１２０、電力供給部１３０及び制御部１０３を備える。テレビジョン受信機１は不図示のアンテナに接続され、テレビジョン放送の視聴のために利用される。受信したテレビジョン放送は表示部１０２に表示することができる。
【００５７】
地上波チューナ部１１０は放送局から発信される地上波の放送信号の受信に利用される。地上波チューナ部１１０は第１チューナＩＣ１１１及び第２チューナＩＣ１１２からなる２個のチューナＩＣ（情報処理回路）を備える。２個のチューナＩＣは同一種類の情報、すなわち地上波放送の視聴に際し、個別にチャンネルの選局に用いることができる。
【００５８】
衛星チューナ部１２０は放送局から発信される衛星波の放送信号の受信に利用される。衛星チューナ部１２０は第１チューナＩＣ１２１及び第２チューナＩＣ１２２からなる２個のチューナＩＣ（情報処理回路）を備える。２個のチューナＩＣは同一種類の情報、すなわち衛星放送の視聴に際し、個別にチャンネルの選局に用いることができる。
【００５９】
電力供給部１３０は第１電力供給部１３１、第２電力供給部１３２、第３電力供給部１３３及び第４電力供給部１３４からなる。第１電力供給部１３１は地上波チューナ部１１０の第１チューナＩＣ１１１に電力を供給し、第２電力供給部１３２は地上波チューナ部１１０の第２チューナＩＣ１１２に電力を供給する。第３電力供給部１３３は衛星チューナ部１２０の第１チューナＩＣ１２１に電力を供給し、第４電力供給部１３４は衛星チューナ部１２０の第２チューナＩＣ１２２に電力を供給する。
【００６０】
制御部１０３は不図示の演算部やその他の電子部品で構成され、不図示の記憶部等に予め記憶、入力されたプログラム、データに基づき、テレビジョン受信機１０１の各構成要素から情報を得るとともにそれら構成要素の動作を制御して一連の放送信号の受信処理を実現する。制御部１０３は表示部１０２、地上波チューナ部１１０の第１及び第２チューナＩＣ１１１、１１２、衛星チューナ部１２０の第１及び第２チューナＩＣ１２１、１２２及び第１〜第４電力供給部１３１〜１３４に指令を送り、それらの動作を制御する。制御部１０３はＩ2ＣＢＵＳ１０４を介して、それら４個のチューナＩＣの駆動のＯＮ／ＯＦＦを個別に制御することができる。
【００６１】
そして、上記構成のテレビジョン受信機１０１は放送の視聴に際し、制御部１０３が４個のチューナＩＣの少なくとも１つに対する駆動のＯＮ／ＯＦＦ及び／または電力供給部１３０による電力供給のＯＮ／ＯＦＦを変更したことに対応して他のチューナＩＣに対する駆動のＯＮ／ＯＦＦ及び／または電力供給部１３０による電力供給のＯＮ／ＯＦＦを制御する。
【００６２】
制御部１０３による制御に基づく４個のチューナＩＣの動作状態及び動作処理は第１実施形態の説明で用いた表１（表２）、図３及び図４と同様であるので、ここでは詳細な説明を省略する。
【００６３】
代表的な動作状態としては、例えば選局動作を実行しているチューナＩＣがないとき、すなわちテレビジョン受信機１０１が起動待機中であるとき、制御部１０３は地上波チューナ部１１０の第１チューナＩＣ１１１及び衛星チューナ部１２０の第１チューナＩＣ１２１を駆動ＯＦＦ、電力供給ＯＮにする。さらに、制御部１０３は地上波チューナ部１１０の第２チューナＩＣ１１２及び衛星チューナ部１２０の第２チューナＩＣ１２２を電力供給ＯＦＦにする。
【００６４】
また、例えば選局動作を実行しているチューナＩＣが１つあるとともに選局動作を実行していないチューナＩＣがあるとき、すなわちテレビジョン受信機１０１が例えば地上波放送１番組の視聴のために起動中であるとき、制御部１０３は地上波チューナ部１１０の第１チューナＩＣ１１１を駆動ＯＮ、電力供給ＯＮにする。これにより、地上波チューナ部１１０の第１チューナＩＣ１１１が放送視聴のために動作する。さらに、制御部１０３は地上波チューナ部１１０の第２チューナＩＣ１１２及び衛星チューナ部１２０の第１チューナＩＣ１２１を駆動ＯＦＦ、電力供給ＯＮにする。さらに、制御部１０３は衛星チューナ部１２０の第２チューナＩＣ１２２を電力供給ＯＦＦにする。図５に示すように、表示部１０２は地上波放送１番組の視聴のために画面１０２ａを１つ表示する。
【００６５】
また、例えば選局動作を実行しているチューナＩＣが２つあるとともに選局動作を実行していないチューナＩＣがあるとき、すなわちテレビジョン受信機１０１が例えば地上波放送１番組及び衛星放送１番組の視聴のために起動中であるとき、制御部１０３は地上波チューナ部１１０の第１チューナＩＣ１１１及び衛星チューナ部１２０の第１チューナＩＣ１２１を駆動ＯＮ、電力供給ＯＮにする。これにより、地上波チューナ部１１０の第１チューナＩＣ１１１及び衛星チューナ部１２０の第１チューナＩＣ１２１が放送視聴のために動作する。さらに、制御部１０３は地上波チューナ部１１０の第２チューナＩＣ１１２及び衛星チューナ部１２０の第２チューナＩＣ１２２を駆動ＯＦＦ、電力供給ＯＮにする。図６に示すように、表示部１０２は地上波放送１番組及び衛星放送１番組の視聴のために画面１０２ｂを２つ表示する。
【００６６】
このような本発明の第２実施形態の電気機器の一例であるテレビジョン受信機１０１においても、第１実施形態の録画装置１と同様の作用、効果を得ることができる。すなわちテレビジョン受信機１０１において、複数のチューナＩＣの消費電力を抑制することができ、さらにチューナＩＣの使用、未使用の切り替えに係る応答速度を向上させることが可能になる。
【００６７】
次に、本発明の第３実施形態の電気機器の一例である記録装置について、図７を用いてその構成を説明する。図７は記録装置のブロック図である。なお、本実施形態の基本的な構成は図１〜図３を用いて説明した第１実施形態と同じであるので、同じ名称を有する構成要素について説明を省略することがある。
【００６８】
第３実施形態では、本発明の電気機器の一例として記録装置を掲げてその実施形態を説明する。ここで説明する記録装置は、例えば第１実施形態の録画装置１の記録部２に対応する機器や、コンピュータ環境におけるプログラム、データの記憶装置である。
【００６９】
記録装置２０１は、図７に示すように記録回路部２１０、電力供給部２３０及び制御部２０３を備える。記録装置２０１は不図示のテレビジョン受信機やコンピュータに接続され、テレビジョン放送の録画やコンピュータ情報の記憶のために利用される。
【００７０】
記録回路部２１０は第１記録回路２１１、第２記録回路２１２及び第３記録回路２１３からなる３個の記録回路（情報処理回路）を備える。３個の記録回路は各々、例えばＨＤＤなどの記録媒体を備え、放送の録画や情報の記憶に際し、個別に記録を行うために用いることができる。
【００７１】
そして、上記構成の記録装置２０１は放送の録画や情報の記憶に際し、制御部２０３が３個の記録回路の少なくとも１つに対する駆動のＯＮ／ＯＦＦ及び／または電力供給部２３０による電力供給のＯＮ／ＯＦＦを変更したことに対応して他の記録回路に対する駆動のＯＮ／ＯＦＦ及び／または電力供給部２３０による電力供給のＯＮ／ＯＦＦを制御する。
【００７２】
このような本発明の第３実施形態の電気機器の一例である記録装置２０１においても、第１実施形態の録画装置１と同様の作用、効果を得ることができる。すなわち記録装置２０１において、複数の記録回路の消費電力を抑制することができ、さらに記録回路の使用、未使用の切り替えに係る応答速度を向上させることが可能になる。
【００７３】
以上、本発明の実施形態につき説明したが、本発明の範囲はこれに限定されるものではなく、発明の主旨を逸脱しない範囲で種々の変更を加えて実施することができる。
【産業上の利用可能性】
【００７４】
本発明は電気機器において利用可能である。
【符号の説明】
【００７５】
１    録画装置（電気機器）
２    記録部
３    制御部
４    Ｉ2ＣＢＵＳ
１０    地上波チューナ部
１１    第１チューナＩＣ（情報処理回路）
１２    第２チューナＩＣ（情報処理回路）
１３    第３チューナＩＣ（情報処理回路）
２０    衛星チューナ部
２１    第１チューナＩＣ（情報処理回路）
２２    第２チューナＩＣ（情報処理回路）
２３    第３チューナＩＣ（情報処理回路）
３０    電力供給部
１０１    テレビジョン受信機（電気機器）
１０２    表示部
１０３    制御部
１０４    Ｉ2ＣＢＵＳ
１１０    地上波チューナ部
１１１    第１チューナＩＣ（情報処理回路）
１１２    第２チューナＩＣ（情報処理回路）
１２０    衛星チューナ部
１２１    第１チューナＩＣ（情報処理回路）
１２２    第２チューナＩＣ（情報処理回路）
１３０    電力供給部
２０１    記録装置（電気機器）
２０３    制御部
２０４    Ｉ2ＣＢＵＳ
２１０    記録回路部
２１１    第１記録回路（情報処理回路）
２１２    第２記録回路（情報処理回路）
２１３    第３記録回路（情報処理回路）
２３０    電力供給部
【図１】
2015022467.tif 000005
【図２】
2015022467.tif 000006
【図３】
2015022467.tif 000007
【図４】
2015022467.tif 000008
【図５】
2015022467.tif 000009
【図６】
2015022467.tif 000010
【図７】
2015022467.tif 000011